(57)【要約】【課題】リール全体を大型化することなく十分なドラグ力が得られ、誤動作が生じることのない魚釣用スピニングリールを提供する。【解決手段】魚釣用スピニングリールは、スプール軸３ａに設置され、釣糸が巻回される釣糸巻回胴部３Ｃを備えたスプール３と、ハンドルの巻き取り操作で回転し、釣糸案内部を介してスプール３に釣糸を巻回可能とするロータと、スプール３をドラグ作動状態とフリー状態に切換える切換機構２５と、を有する。そして、スプール３の釣糸巻回胴部３Ｃの後方側に、釣糸巻回胴部３Ｃに対して回転可能となるように切換機構２５の切換部材を設け、切換部材２７の回転操作でスプール３をドラグ作動状態からフリー状態に切換可能としたことを特徴とする。【選択図】図２
2010075135.tif 000002
【特許請求の範囲】
【請求項１】
スプール軸に設置され、釣糸が巻回される釣糸巻回胴部を備えたスプールと、ハンドルの巻き取り操作で回転し、釣糸案内部を介して前記スプールに釣糸を巻回可能とするロータと、前記スプールをドラグ作動状態とフリー状態に切換える切換機構と、を有する魚釣用スピニングリールにおいて、
前記スプールの釣糸巻回胴部の後方側に、釣糸巻回胴部に対して回転可能となるように前記切換機構の切換部材を設け、
前記切換部材の回転操作で前記スプールをドラグ作動状態からフリー状態に切換可能としたことを特徴とする魚釣用スピニングリール。
【請求項２】
前記切換部材は、前記スプールの釣糸巻回胴部の後方側に位置したスカート部を構成していることを特徴とする請求項１に記載の魚釣用スピニングリール。
【請求項３】
前記切換部材の回転操作で、前記スプールをフリー状態からドラグ作動状態に切換可能としたことを特徴とする請求項１又は２に記載の魚釣用スピニングリール。
【発明の詳細な説明】
【技術分野】
【０００１】
本発明は、スプールの回転に抵抗を与えるドラグ機構を設けた魚釣用スピニングリールに関する。
【背景技術】
【０００２】
魚釣用スピニングリールの中には、釣糸が巻回されるスプールに回転抵抗を与えるドラグ機構を、作動状態（スプールに対してドラグ力が作用する状態）と、非作動状態（スプールフリー状態；スプールが完全にフリーになる状態とサブドラグ機構によってドラグ力が作用する状態を含む）とに切換える切換機構を備えたものが知られている。例えば、特許文献１には、切換機構を、スプールとスプール軸との間に設けて、リール本体内における各種駆動機構系統の簡素化を図り、リール本体の小型・軽量化を可能にした魚釣用スピニングリールが開示されている。
【０００３】
この公知技術の切換機構は、スプールの前部中央に押しボタン式の操作部材を設け、この操作部材を後方に向けて押圧操作することで、ドラグ作動状態の連結系統を解除してスプールフリー状態に切換えるよう構成されている。また、この公知の魚釣用スピニングリールは、ハンドルの回転操作に連動するロータの巻き取り方向の回転によって、スプールフリー状態からドラグ作動状態に復帰させる復帰機構を備えている。
【特許文献１】特開平３−５３８３６号
【発明の開示】
【発明が解決しようとする課題】
【０００４】
上記した構成の魚釣用スピニングリールでは、スプール前部の中央部に切換用のボタンを設ける構成のため、ドラグ機構のスペースが制約されてしまい、十分なドラグ力を維持することができない。この場合、十分なドラグ力を確保するためには、更にスペースが必要になると共に、ボタンのストロークの分、前後方向にスペースが必要になるため、リール全体が大型、重量化してしまう。
【０００５】
また、実用時や釣場移動時、或いは携帯時等に、ボタンに他物が当たって誤動作（ドラグ作動状態からスプールフリー状態となる誤動作）してしまう可能性がある。
【０００６】
さらに、上記した構成の魚釣用スピニングリールでは、スプールフリー状態からドラグ作動状態に復帰させるには、ハンドルを巻き取り操作するか、或いは押し込まれた状態にあるボタン式の操作部材を回動操作する必要がある。しかし、このような復帰操作では、スプールフリー状態で仕掛けを繰り出し中、或いは仕掛けを所定のポイントに着水させた直後に魚が食いついたとき、迅速にドラグ作動状態に復帰させてタイムリーな合わせ操作を行うことが困難であり、釣果に影響を及ぼしてしまう。
【０００７】
本発明は、上記した問題に基づいてなされたものであり、スプールに回転抵抗を与えるドラグ機構を作動状態から非作動状態に切換える切換機構を設けた魚釣用スピニングリールにおいて、リール全体を大型化することなく十分なドラグ力が得られ、誤動作が生じることのない魚釣用スピニングリールを提供することを目的とする。
【課題を解決するための手段】
【０００８】
上記した目的を達成するために、本発明に係る魚釣用スピニングリールは、スプール軸に設置され、釣糸が巻回される釣糸巻回胴部を備えたスプールと、ハンドルの巻き取り操作で回転し、釣糸案内部を介して前記スプールに釣糸を巻回可能とするロータと、前記スプールをドラグ作動状態とフリー状態に切換える切換機構と、を有しており、前記スプールの釣糸巻回胴部の後方側に、釣糸巻回胴部に対して回転可能となるように前記切換機構の切換部材を設け、前記切換部材の回転操作で前記スプールをドラグ作動状態からフリー状態に切換可能としたことを特徴とする。
【０００９】
上記した構成の魚釣用スピニングリールでは、切換機構の切換操作によって、スプールを、ドラグ作動状態（メインドラグ機構によるドラグ力調節が可能な状態）から、フリー状態（サブドラグ機構によるドラグ調節が可能な状態）へ切換えることが可能となっている。前記切換機構の切換部材は、釣糸巻回胴部の後方側に、釣糸巻回胴部に対して回転可能となるように設けられているため、スプール前方に配設されるドラグ機構（メインドラグ機構）に影響を与えることがなく、ドラグ機構のスペースを確保して、十分なドラグ力を発揮させることが可能となる。また、切換部材は、釣糸巻回胴部の後方側で回転操作可能に設けられていることから、他物に当たっても切換機構が誤動作するようなことが防止される。
【発明の効果】
【００１０】
本発明によれば、スプールに回転抵抗を与えるドラグ機構を作動状態から非作動状態に切換える切換機構を設けた構成において、リール全体を大型化することなく十分なドラグ力が得られ、誤動作が生じることのない魚釣用スピニングリールが得られる。
【発明を実施するための最良の形態】
【００１１】
以下、本発明に係る魚釣用スピニングリールの実施形態について、添付図面を参照して説明する。
【００１２】
図１から図１３は、本発明に係る魚釣用スピニングリールの一実施の形態を示す図であり、図１は、魚釣用スピニングリールの内部構成を示す図、図２は、図１の主要部を拡大した図、図３は、図２のＡ−Ａ線に沿った断面図、図４は、図２のＢ−Ｂ線に沿った断面図、図５（ａ）は、図２のＣ−Ｃ線に沿った断面図、図５（ｂ）は、図５（ａ）を矢印Ｄ方向から見た図、図６は、図２のＥ−Ｅ線に沿った断面図、図７（ａ）は、図６のＦ−Ｆ線に沿った断面図、図７（ｂ）は、変形例を示す図、図８は、図２のＧ−Ｇ線に沿った断面図（ドラグ作動状態）、図９は、図２のＧ−Ｇ線に沿った断面図（スプールフリー状態）、図１０は、切換部材の操作部分の構成を示す図、図１１は、スプールフリー状態時における継脱機構の状態を示す図、図１２（ａ）は、サブドラグ機構の主要部の拡大図であり、スプールに対する抵抗力が大きい状態を示す図、図１２（ｂ）は、スプールに対する抵抗力が小さい状態を示す図、そして、図１３は、スプールをスプール軸から取り外した状態を示す図である。
【００１３】
魚釣用スピニングリールのリール本体１には、釣竿に装着されるリール脚１Ａが一体形成されており、その前方には、回転可能に支持され、釣糸案内部２ａを装着した一対のアーム部２Ａを具備するロータ２と、ロータ２の回転運動と同期して前後動可能に支持され、釣糸が巻回されるスプール３が配設されている。
【００１４】
リール本体１内には、ハンドル軸（駆動軸）４が回転可能に支持されており、その突出端部には、ハンドル５が取り付けられている。また、ハンドル軸４には、ハンドル軸４に取り付けられ、内歯が形成されたドライブギヤ７と、このドライブギヤ７に噛合すると共にハンドル軸４と直交する方向に延出し、内部に軸方向に延出する空洞部が形成されたピニオンギヤ９とを備えた巻き取り駆動機構が係合している。
【００１５】
前記ピニオンギヤ９は、軸受９ａ，９ｂを介してリール本体内に回転可能に支持されており、その先端側において固定部材９ｃによって前記ロータ２を固定し、ロータ２を一体回転するように連結している。そして、その空洞部には、ハンドル軸４と直交する方向に延出し、先端側に前記スプール３を装着したスプール軸３ａが軸方向に移動可能に挿通されている。また、前記ピニオンギヤ９には、スプール３（スプール軸３ａ）を前後往復動させるための公知の往復動装置１０が係合している。
【００１６】
前記往復動装置１０は、リール本体内に回転可能に支持され、スプール軸３ａと平行に延出する螺軸（ウォームシャフト）１２と、前記スプール軸３ａの後部に回転不能で軸方向移動可能に係合される摺動子１３とを備えている。前記螺軸１２の前端部には、前記ピニオンギヤ９と噛合する連動歯車１５が設けられており、前記ハンドル５を回転操作することで、螺軸１２は、前記ドライブギヤ７、ピニオンギヤ９及び連動歯車１５を介して回転駆動される。そして、前記螺軸１２の周面には、軸方向に沿って螺旋状のカム溝１２ａが形成されており、このカム溝１２ａに、前記摺動子１３に収容保持された係合ピンが係合することで、スプール軸３ａ（スプール３）は、ハンドル５の巻き取り操作により前後に往復動される。
【００１７】
また、リール本体１内には、ロータ２の逆回転を防止する逆転防止機構が設置されている。この逆転防止機構は、公知のように、前記ピニオンギヤ９の外周側に設置される転がり式の一方向クラッチ１６と、転がり式一方向クラッチの外輪の外周に回り止め固定されたラチェット１７とを備えており、リール本体１の後方側に設置された切換レバー１８を切換操作することで、リール本体１に支持されたストッパ１７ａを介してラチェット１７を回転可能／回転不能状態に切換え、これによりロータ２を正逆転可能状態／逆転防止状態に切換えるようになっている。
【００１８】
上記した構成により、ハンドル５を巻き取り操作すると、ロータ２は、ドライブギヤ７及びピニオンギヤ９を介して回転駆動され、かつ、スプール３は、ドライブギヤ７、ピニオンギヤ９及び往復動装置１０を介して前後方向に往復駆動され、スプール３には、回転するロータ２の釣糸案内部２ａを介して均等に釣糸が巻回される。
【００１９】
前記スプール３の前方側には、スプール３が釣糸繰り出し方向に回転した際、その回転に制動力を付与するドラグ機構（メインドラグ機構）２０が設置されている。このメインドラグ機構２０は、スプール３の前端側に形成される内部空間領域（凹部３Ａ）内に設置されており、スプール軸３ａに対して回転可能に外嵌され、後述するように切換機構によって固定状態に切換えられる筒軸２１と、スプール３と筒軸２１との間で所定の摩擦力を作用させ、スプール３の回転に制動力を付与する制動部材２２とを備えている。
【００２０】
前記制動部材２２は、一般的なドラグ機構と同様、スプール３の前端面に沿って回転可能に支持された制動力調節用のツマミ（メインドラグ機構の調節体）２０Ａの回転操作によって軸方向に押圧され、その押圧力によって、スプール３の凹部３Ａの底面３Ｂに当て付けられて、スプール軸３ａと共に固定状態となる筒軸２１との間で所望の制動力（ドラグ力）を生じさせる。すなわち、前記制動部材２２は、スプール３の内周面に一体的に固定されるスプールワッシャ、筒軸２１の外面に一体的に固定される筒軸ワッシャ、及び両ワッシャ間に介在される摩擦板（ライニング材）等を備えて構成されており、前記メイン調節体２０Ａを回転操作することで、軸方向に移動可能なナット２０ａ及び付勢バネ２０ｂを介して押圧体２３を制動部材２２に対して所望の押圧力で当接させる。
【００２１】
これにより、筒軸２１が固定状態に切換えられたときにメイン調節体２０Ａを回転操作することで、スプール３には、固定された状態の筒軸２１とスプール３との間に介在される制動部材２２によって、所望の制動力を作用させることが可能となり、また、前記筒軸２１がフリー状態にされたとき、メインドラグ機構２０のドラグ力はフリー（スプールフリー状態）となる。
【００２２】
なお、前記筒軸２１は、図１３に示すように、スプール３と一体となって、スプール軸３ａに対して着脱することが可能となっている。具体的には、スプール軸３ａの前端部には、小径部３ｂが形成されており、この部分に、筒軸２１に設けられているリング状の板バネ２１ａを係合させている。前記板バネ２１ａは、筒軸２１の先端部に付勢バネ２１ｃを介在させて設けられているプッシュボタン２１ｂを、付勢バネ２１ｃの付勢力に抗して軸方向に押圧することで、プッシュボタン２１ｂの端部に形成されている傾斜部２１ｄを介して径方向外方に拡げられるようになっている。すなわち、プッシュボタン２１ｂを押圧操作することで、板バネ２１ａと小径部３ｂとの係合関係が解除され、スプール３は、筒軸２１と共にスプール軸３ａから容易に取り外すことが可能となっている。
【００２３】
前記筒軸２１は、切換機構２５によって、スプール軸３ａに対して固定状態／フリー状態に切換えられるようになっている。
【００２４】
以下、切換機構２５の構成について説明する。  
前記切換機構２５は、スプール３とスプール軸３ａとの間に設けられ、スプール３を、ドラグ作動状態と非作動状態（スプールフリー状態）に切換えるように構成されていれば良い。本実施形態では、以下に詳述するように、スプール３の後方に、リング状でスプール軸周りに回転可能な切換部材２７を設け、スプール３のドラグ作動状態時に、切換部材２７を回転操作（回動操作）することで、前記筒軸２１をスプール軸３ａに対してフリー状態に切換可能とするよう構成されている。
【００２５】
この場合、リング状に構成される切換部材２７の主要部は、スプール３の釣糸巻回胴部３Ｃ（釣糸巻回胴部３Ｃは、後フランジ３Ｄと前フランジ３Ｅによって形成される）の後方側に、釣糸巻回胴部３Ｃに対して回転可能に設けられており、実際に切換操作する（スプールをドラグ作動状態から非作動状態へ切換操作する）部分は、後フランジ３Ｄの後方側で、外観上、一般的に公知であるスプールのスカート部分と同様な形状に構成されたスカート状の円筒部２７Ａとなっている。すなわち、本実施形態の切換部材２７の操作部分（円筒部２７Ａ）は、一般的なスプールにおけるスカート部を構成していることから、リール本体に対して、レバーやダイヤルのような新たな操作部が突出したり、露出するような構成ではない。
【００２６】
また、上記した切換部材２７は、スカート状の円筒部２７Ａの後フランジ３Ｄ側の端部において、スプール軸と直交する方向に屈曲されて後フランジ３Ｄと対向する対向面２７Ｂと、前記対向面２７Ｂから垂直に立ち上げられ、釣糸巻回胴部３Ｃの内側に位置する小径円筒部２７Ｃとを備えている。
【００２７】
前記切換機構２５は、さらに、切換部材２７を回転可能に保持する支持部材３０を備えている。
【００２８】
前記支持部材３０は、スプール軸３ａに対して断面非円形状の嵌合孔３０ａによって回り止め固定されると共に（図６参照）、スプール軸３ａに対して軸方向の移動が規制された固定部３０Ａと、固定部３０Ａからリール本体側に向けて延出し、スプール３の後フランジ３Ｄの後方側に位置する略円筒状に形成された円筒部３０Ｂとを備えている。
【００２９】
前記切換部材２７は支持部材３０を覆うように形成されており、スプール軸３ａの前端側から支持部材３０に被せた状態で、抜け止め支持部プレート３２を固定部３０Ａに対してビス３３で止めることで、切換部材２７は支持部材３０に対して抜け止め支持されている。
【００３０】
前記切換部材２７の対向面２７Ｂには、図６に示すように、その中央領域に円形の開口２７ａが形成されており、その周囲に円弧状の開口２７ｂが周方向に所定間隔をおいて３箇所形成されている。前記円形の開口２７ａには、支持部材３０の固定部３０Ａが嵌合しており、前記円弧状の開口２７ｂには、固定部３０Ａに形成された回動規制部３０ｂが位置している。この回動規制部３０ｂは、切換部材２７の円弧状の開口２７ｂに周方向に対して遊度を持って嵌合しており、これにより、切換部材２７は、周方向（Ｄ１／Ｄ２方向）に対して所定の角度だけ回動操作可能となっている。
【００３１】
なお、図において、矢印Ｄ１方向は、メインドラグ機構２０のＯＮ状態からＯＦＦ状態への切換え作動方向であり、矢印Ｄ２方向は、メインドラグ機構２０のＯＦＦ状態からＯＮ状態への切換え作動方向を示している。
【００３２】
前記支持部材３０と前記筒軸２１との間には、継脱機構４０が設置されており、支持部材３０と筒軸２１との連結状態を継脱するようにしている。この場合、本実施形態の継脱機構４０は、支持部材３０の固定部３０Ａに対してビス４１によって回動可能に支持されるストッパ４２と、ストッパ４２が継脱可能なラチェット４３とを備えている。
【００３３】
前記ストッパ４２は、図２、図４及び図６に示すように、スプール軸３ａに沿った面内で回動可能となっており、スプール軸３ａに対して回転可能に配置されるラチェット４３に対して継脱されるようになっている。本実施形態では、ラチェット４３に対して継脱されるストッパ４２は、図２及び図４に示すように、１８０°間隔で２箇所設置されている（ストッパ４２は１箇所のみであっても良い）。また、それぞれのストッパ４２は、固定部３０Ａに支持されるにあたり、一方向バネ４４によって、常時、ラチェット４３に継合する方向に付勢された状態となっている。
【００３４】
前記ラチェット４３は、抜け止め支持プレート３２の表面部に設置されるワッシャ４５を介在させて配置されており、前記筒軸２１に対して係合状態となる連結部４３ａに対してビス４３ｂによって固定されている（ラチェット４３と連結部４３ａは、別体として構成されているが、両者は一体化された構成であっても良い）。この場合、連結部４３ａの筒軸側には、図５に示すように、径方向に沿って突出した係合部４３ｃが一体形成されており、この係合部４３ｃは、筒軸２１の端部に形成された径方向凹溝２１ｆに係合されるようになっている。すなわち、スプール３を、スプール軸３ａに対して装着すると、径方向凹溝２１ｆが係合部４３ｃと係合し、筒軸２１と連結部４３ａ（ラチェット４３）は、一体化されるようになっている。
【００３５】
なお、前記抜け止め支持プレート３２には、ストッパ４２が回動可能となるように、図４に示すように、ストッパ４２を挿通させる長孔３２ａが形成されている。
【００３６】
上記した一対のストッパ４２は、支持部材３０の固定部３０Ａに支持されており、一方向バネ４４によって、常時、ラチェット４３に係合していることから、ラチェット４３は回転ができない固定状態に維持されている。このため、ラチェット４３に係合する筒軸２１も固定状態となっており、上述したように、スプール３に対してメインドラグ機構２０のドラグ力を作用させることが可能な状態となっている。
【００３７】
各ストッパ４２は、前記切換部材２７の回動操作によって、一方向バネ４４の付勢力に抗して離反させることが可能となっている。すなわち、図２及び図３に示すように、固定部３０Ａに対してビス４１によって回動可能な各ストッパ４２には、係合突起４２ａが一体形成されており、この係合突起４２ａは、切換部材２７の小径円筒部２７Ｃに形成された傾斜開口２７ｃから露出された状態となっている。このため、切換部材２７を図３の矢印Ｄ１方向に回動操作すると、係合突起４２ａは、図３の鎖線で示すように、傾斜開口２７ｃの傾斜面によって強制的に押下げられ、各ストッパ４２は、一方向バネ４４の付勢力に抗して回動され、ラチェット４３から離反する（筒軸２１は、フリー状態に切換えられる）。
【００３８】
上記したように、切換部材２７は、図６に示すように、Ｄ１／Ｄ２方向に回動操作することで、ストッパ４２とラチェット４３を継合／離脱させ、筒軸２１を固定状態／フリー状態に切換えできるようになっている。この場合、継合／離脱位置を規定する切換え位置を保持できるように、保持機構を設けておくことが好ましい。
【００３９】
この保持機構は、例えば、図６及び図７（ａ）に示すように、支持部材３０の円筒部３０Ｂの表面領域に凹所３０ｄを形成し、ここに付勢バネ４７によって保持部材４８を保持させておくと共に、切換部材２７の対向面２７Ｂに、切換え位置に対応して、周方向に２箇所の係合孔２７ｄを形成することで構成可能である。すなわち、切換部材２７をＤ１／Ｄ２方向に回動操作して切換え位置になったときに、保持部材４８が係合孔２７ｄと係合することで、切換部材２７の切換え位置を保持させておくことが可能となる。
【００４０】
なお、保持機構については、図７（ａ）に示す構成以外にも種々変形することが可能であり、例えば、図７（ｂ）に示すように、支持部材３０の円筒部３０Ｂの表面領域に凹所３０ｄ´を形成しておき、ここに弾性変形する板バネ４８´を保持して、係合孔２７ｄと係合させる構成であっても良い。
【００４１】
また、切換部材２７を回動操作して、スプールの状態を切換えるに際しては、その状態が、使用者にとって容易に把握できるように構成しておくことが好ましい。例えば、本実施形態では、切換部材２７のスカート状の円筒部２７Ａの後端側に、周方向に沿って、所定間隔で開口孔２７ｆが形成されており（図１０参照）、この開口孔２７ｆを介して、切換部材２７の回動操作位置が目視によって把握できるよう構成されている。具体的には、支持部材３０の円筒部３０Ｂの後端側外周面に、切換部材２７がドラグ作動状態となったときに、開口孔２７ｆを通して露出する色彩等が形成されており、切換部材２７を回動操作して、スプールフリー状態となったとき、その色彩が視認できないようになっている。
【００４２】
また、スプール３は、メインドラグ機構２０がＯＮ状態からＯＦＦ状態へ切換え操作された際、フリーに回転することが可能となっている。この場合、スプール３のフリー回転に節度（クリック音での報知）が生じるように節度機構を設けておくことが好ましい。
【００４３】
この節度機構は、例えば、図２及び図６に示すように、支持部材３０の円筒部３０Ｂの表面領域に凹所３０ｅを形成し、ここに付勢バネを介在させてクリックピン４９を軸方向に向けて弾性保持させておくことで構成することが可能である。すなわち、前記切換部材２７の対向面２７Ｂに、切換え操作範囲に沿って円弧状の溝２７ｅを形成してクリックピン４９を挿通させ、このクリックピン４９を、スプール３の後フランジ３Ｄの裏面に周方向に沿って形成された凹凸部３ｈ（図１３参照）に当接させることで、スプール３の回転に節度を持たせる（クリック音の発生）ことが可能となる。
【００４４】
また、スプール３の釣糸巻回胴部３Ｃの後方側（詳細には、釣糸巻回胴部３Ｃを規定する後フランジ３Ｄの後方側）には、スプール３がフリー回転状態に切換えられた際、スプール３の回転に対して補助的にドラグ力を作用させるサブドラグ機構５０が配設されている。このため、サブドラグ機構５０は、上述したメインドラグ機構２０とは、構造的に関連することはなく、分離した位置に配設されている。
【００４５】
以下、サブドラグ機構５０の構成について説明する。  
サブドラグ機構５０は、前記切換部材２７のスカート状の円筒部２７Ａの内側で円筒状に構成され、円筒部２７Ａの内周面に沿ってスプール軸周りに回転操作可能な操作部（サブドラグ機構の調節体）５１と、調節体５１を回転操作した際、その回転操作量に応じて、スプール３に対して直接、摩擦力を作用させる可動押圧体（摩擦作動体）５３とを備えている。
【００４６】
前記スカート状の円筒部２７Ａには、前記開口孔２７ｆの上方に、周方向に沿って調節体５１を露出させるように操作開口２７ｇが形成されており（図１０参照）、この操作開口２７ｇを介して調節体５１を把持して回転操作できるように構成されている。このため、調節体５１の表面には、把持した指が滑らないように、ローレット等の高摩擦部５１ａを形成しておくことが好ましい。
【００４７】
前記可動押圧体５３は、硬質樹脂等によって略リング状に形成されており、後フランジ３Ｄの裏面に対して所望の押圧力によって圧接されるようになっている。本実施形態では、図６に示すように、可動押圧体５３の圧接部５３ａは、周方向に沿って円弧状に３箇所形成されており、可動押圧体５３は、圧接部５３ａが切換部材２７の対向面２７Ｂに形成された円弧状の開口２７ｈを介して露出するように、支持部材３０の円筒部３０Ｂに保持されている。すなわち、スプール３に対して、補助的に作用するドラグ力は、スプールの後フランジ３Ｄに対して、直接作用する構成となっており、その圧接部５３ａは、好ましくは巻回胴部３Ｂよりも径方向外側となるように設定されている。
【００４８】
前記スプール軸周りに回転操作される調節体５１の内面には、軸方向に沿って突起５１ｂが形成されており（形成個数については限定されない）、この突起５１ｂには、リング状に形成された回転移動体５５が係合されている。この回転移動体５５は、その内面に雌ネジ部５５ａが形成されており、この雌ネジ部５５ａは、支持部材３０の円筒部３０Ｂの下方側外周面に形成された雄ネジ部３０ｆと螺合されている。
【００４９】
前記可動押圧体５３は、Ｏリング５７を介在させた状態で、回転移動体５５から押圧力が付与されるようになっている。すなわち、前記調節体５１を回転操作することで、回転移動体５５は、雄ネジ部３０ｆと雌ネジ部５５ａとの螺合関係によって、回転しながら軸方向に移動するようになっており、可動押圧体５３には、Ｏリング５７を介して回転移動体５５から軸方向の力が作用する。これにより、調節体５１を回転操作することで、図１２（ａ）及び（ｂ）に示すように、可動押圧体５３の後フランジ３Ｄに対する押圧力を調節して、フリー状態にあるスプール３に対して所望のドラグ力を作用させることが可能となる。
【００５０】
また、調節体５１を回転操作する際、その回転に節度（クリック音での報知）が生じるように節度機構を設けておくことが好ましい。
【００５１】
この節度機構は、例えば、図２に示すように、支持部材３０の円筒部３０Ｂの外周面領域に凹所を形成し、ここに付勢バネを介在させてクリックピン５９を径方向外方に向けて弾性保持させておくことで構成することが可能である。すなわち、回転移動体５５の内周面に沿って、クリックピン５９が弾発付勢される凹凸部を形成しておくことで、調節体５１の回転に節度を持たせる（クリック音の発生）ことが可能となる。
【００５２】
上述したように、スプール３をドラグ作動状態からフリー状態に切換えるには、切換部材２７を回動操作（図６；Ｄ１方向）して、ストッパ４２とラチェット４３の継合関係を解除すれば良く、また、切換部材２７を逆向きに回動操作（図６；Ｄ２方向）することでスプール３をフリー状態からドラグ作動状態に復帰させることが可能となる。
【００５３】
本実施形態では、この復帰操作を、切換部材２７のＤ２方向への回動操作以外にも、ハンドル５の釣糸巻き取り方向の回転操作によっても行えるように、復帰機構６０を配設している。
【００５４】
以下、復帰機構６０の構成について説明する。  
本実施形態の復帰機構６０は、ロータ２に一体形成される一対のアーム部２Ａとスプール軸３ａとの間に設置される公知の糸落ち防止部材（ラインガードとも称する）６１に関連して設けられている。
【００５５】
前記糸落ち防止部材６１は、前記スプール軸３ａに対して回転可能に支持されており、前記一対のアーム部２Ａのそれぞれの内面側に形成された長手溝２ｄに係合する係合部６２を具備して、ロータ２が回転した際、ロータ２と共に一体回転するようになっている。また、糸落ち防止部材６１は、略リング状に形成された連動体６５に保持されている。この場合、糸落ち防止部材６１は、連動体６５に対して、後述するノンデッドポイント機構によって、周方向に相対移動可能に保持されている。
【００５６】
前記連動体６５は、前記支持部材３０に対して、止めビス６４を介して支持部材３０に固定されたリング状のリテイナ６４ａによって、回転可能に軸方向に抜け止め保持されている。このため、連動体６５は、糸落ち防止部材６１と一体的にスプール軸３ａに対して回転可能であり、糸落ち防止部材６１は、連動体６５と一体的になって、スプール軸３ａに対して軸方向に移動しないように保持されている。すなわち、糸落ち防止部材６１は、連動体６５と共にスプール軸３ａの往復動に伴って軸方向に一体的に往復動し、かつスプール３に巻回される釣糸がスプール３内に入り込むこと、及びスプール軸３ａに絡み付くことを防止している。
【００５７】
前記連動体６５のスプール側表面部には、図８及び図９に示すように、周方向に沿って復帰用突部６６が所定間隔をおいて６箇所形成されている。この復帰用突部６６は、ハンドルを釣糸巻き取り方向に回転操作した際、糸落ち防止部材６１と一体回転する連動体６５と共に回転し、後述する復帰作動部材をキックする役目を有する。このため、復帰用突部６６には、糸落ち防止部材６１の釣糸巻き取り方向（図８、及び図９の矢印Ｄ２方向）側に、傾斜面６６ａが形成されている。
【００５８】
一方、前記支持部材３０の円筒部３０Ｂの表面には、周方向に所定間隔をおいて３つの復帰作動部材７０が支持されている。各復帰作動部材７０は、図２、図６及び図１３に示すように、支軸７１を介して円筒部３０Ｂの表面に回動可能に支持されると共に、一方向バネ７２によって、図６において、反時計回り方向に回動付勢されている。
【００５９】
また、復帰作動部材７０には、切換部材２７の対向面２７Ｂに向けて作動突起７０ａが形成されており、この作動突起７０ａは、対向面２７Ｂに形成された作動孔２７ｋに係合されている。この作動突起７０ａは、図６において、切換部材２７がＤ１方向に回動操作された際（スプールフリー状態への切換操作）、作動孔２７ｋによって押圧され、一方向バネ７２の付勢力に抗して時計回り方向に回動される。この状態で、作動突起７０ａの下端部は、図８から図９に示すように、前記復帰用突部６６の回転軌跡内に入り込む。
【００６０】
これにより、ハンドル５を巻き取り操作すると、糸落ち防止部材６１及び連動体６５は、図９の矢印Ｄ２方向に回転するため、作動突起７０ａの下端部は、連動体６５に設けられた復帰用突部６６によってキックされ、前記対向面２７Ｂに形成された作動孔２７ｋを介して、切換部材２７をＤ２方向に回転させて、スプール３をドラグ作動状態に自動復帰させる。
【００６１】
なお、図８及び図９に示すように、糸落ち防止部材６１と連動体６５との間に、周方向付勢バネ７５を介在させることで、連動体６５は、糸落ち防止部材６１に対して所定範囲、相対回転可能となっていることが好ましい。すなわち、これらの図に示すように、糸落ち防止部材６１の内面側には、周方向に沿って所定間隔で円弧状の凹所６１ｃが形成されており、この凹所６１ｃ内に連動体６５の外周に突出形成された突片６５ｃを配設し、ここに周方向付勢バネ７５を介在させている。
【００６２】
これにより、図６において、切換部材２７をＤ１方向に回動操作してスプールフリー状態へ切換操作しようとした際、復帰用突部６６が作動突起７０ａの侵入位置に存在していても、連動体６５は、周方向付勢バネ７５の付勢力に抗して回転可能となっているため、切換部材２７の回動操作時において、切換操作が行い難くなること、すなわちデッドポイントが生じることが防止される。
【００６３】
以上のように構成される魚釣用スピニングリールの作用について説明する。
【００６４】
通常、魚釣用スピニングリールは、ドラグ作動状態として使用される。このとき、スプール３、すなわち繰り出される釣糸には、メインドラグ機構２０によって所定のドラグ力が作用した状態となる。上述したように、ドラグ作動状態では、図２に示すように、ラチェット４３に対してストッパ４２が係合状態にあり、筒軸２１は、固定された状態となっている。このため、メイン調節体２０Ａを回転操作することで、固定された状態の筒軸２１とスプール３との間に介在される制動部材２２によって、スプール３に対して所望の制動力を作用させることが可能となる。
【００６５】
前記メインドラグ機構２０が設置される部分には、従来のように、サブドラグ機構を径方向内側に配設しないため、スプール（リール全体）を大型化することなく、また、スプールの凹部３Ａ内に大径の摩擦部材を設置できるため、十分なドラグ力を維持、発揮させることが可能となる。
【００６６】
なお、上記したようなドラグ作動状態では、スカート部分（切換部材２７の円筒部２７Ａ）に形成される開口孔２７ｆを通して色彩が視認できることから、操作者は、現在のスプールの状態を容易に把握することが可能となる。
【００６７】
そして、ドラグ作動状態からスプールフリー状態に切換えるべく、切換部材２７の円筒部２７Ａを把持して回動操作すると（図３及び図６の矢印Ｄ１方向）、継脱機構４０を構成するストッパ４２の係合突起４２ａは、切換部材２７の小径円筒部２７Ｃに形成された傾斜開口２７ｃの傾斜面によって強制的に押下げられる。これにより、各ストッパ４２は、一方向バネ４４の付勢力に抗して回動され、ラチェット４３から離反し、筒軸２１はフリー状態に切換えられる（図１１参照）。このとき、スプール３は、フリー回転可能な状態になるため、スプール３には、メインドラグ機構２０の制動力が作用しない状態となっている。
【００６８】
このように、ドラグ作動状態からスプールフリー状態に切換える切換部材２７は、スプールの釣糸巻回胴部３Ｃの後方側において、回転（回動）可能となるように設置されているため、スプール周辺部の可及的コンパクト化が可能になると共に、スプール回りを大型化することが無く、十分なドラグ力を発揮できるドラグ機構（メインドラグ機構）を装備することができる。特に、本実施形態では、実際に切換操作する部分（円筒部２７Ａ）は、スプール３のスカート部を構成しているため、外観の向上が図れると共に、余分な操作部材が露出したり突出することもないので、リール全体をコンパクトにすることが可能となる。
【００６９】
また、切換部材２７は、従来技術のように、スプールの前方において、押圧されるプッシュ式ではないため、他物に当たっても、切換機構２５が誤動作するようなこともない。
【００７０】
上記したスプール３のフリー回転可能状態では、サブドラグ機構５０によって補助的にドラグ力を作用させることが可能となっている。図１０に示すように、切換部材２７の円筒部２７Ａに形成された操作開口２７ｇから露出している調節体５１を把持して回転操作することで、回転移動体５５を介して可動押圧体５３は、後フランジ３Ｄの裏面に対して所望の押圧力によって圧接される。
【００７１】
図１２（ａ）は、サブドラグ機構５０によるドラグ力が小さい状態（可動押圧体による圧接力が弱い状態）を示し、図１２（ｂ）は、サブドラグ機構５０によるドラグ力が大きい状態（可動押圧体による圧接力が強い状態）を示している。
【００７２】
このように、フリー状態にあるスプール３に対して、補助的に作用するドラグ力は、リング状の部材を介してスプール３の後フランジ３Ｄに対して直接作用させる構成となっているため、制動部材となる可動押圧体５３の構成が簡略化され、スペースを効率的に利用することが可能となる。また、可動押圧体５３による後フランジ３Ｄに対する圧接部５３ａは、巻回胴部３Ｂよりも径方向外側となっているため、スプール３に対して安定したドラグ力を作用させることが可能となる。
【００７３】
また、サブドラグ機構５０の調節体５１は、スプール３の後方側に配設されるため、メインドラグ機構２０の調節体２０Ａとの間で誤操作することがなくなり、ドラグ力の調節操作性の向上が図れるようになる。特に、サブドラグ機構の調節体５１は、スプール３の後方側（釣糸巻回胴部の後方側）において、スプール軸周りに回転操作可能に設置されているため、その操作部が把持し易くなると共に容易に回転操作することができ、ドラグ力の調節操作が行い易くなる。
【００７４】
そして、上記したスプールフリー状態は、切換部材２７の円筒部２７Ａを把持して、図３及び図６の矢印Ｄ２方向に回動操作することで、再び、ドラグ作動状態に復帰させることが可能である。すなわち、切換部材２７を矢印Ｄ２方向に回動操作することで、各ストッパ４２は、傾斜開口２７ｃによる規制が解除され、一方向バネ４４の付勢力によってラチェット４３と係合し、筒軸２１は固定状態に切換えられる。
【００７５】
このように、スプール３のスカート部分は、実用時において把持し易い部分となっていることから、手動操作によって、スプールフリー状態からドラグ作動状態に復帰させ易くなる。すなわち、スプールフリー状態で仕掛けを繰り出し中、或いは仕掛けを所定のポイントに着水させた直後に魚が食いついたとき、そのままスプールのスカート部分を回動操作するだけで、迅速にドラグ作動状態に復帰させることができるので、タイムリーな合わせ操作を瞬時に行えるようになり、釣果を向上することが可能となる。
【００７６】
なお、上記した切換部材２７の回動操作以外にも、ハンドル５を釣糸巻き取り方向に回転操作しても、上述した復帰機構６０の作用によって、ドラグ作動状態に自動復帰させることが可能である。すなわち、ハンドル５を釣糸巻き取り方向に回転操作することで、上述したように、糸落ち防止部材６１、連動体６５、復帰作動部材７０等の作用によって、スプールフリー状態からドラグ作動状態に自動復帰させることが可能となっている。
【００７７】
このように、復帰機構６０は、スプール軸３ａと連動して前後動する糸落ち防止部材６１に設けられる構成であるため、前後動するスプール３のストロークを考慮して前後動方向に沿って長く形成する必要がなくなる。すなわち、復帰機構６０をスプール軸方向に沿ってコンパクト化することが可能となり、スプール回りが大型・重量化するようなことはない。
【００７８】
以上、本発明の実施形態について説明したが、本発明は、上記した実施形態に限定されることはなく、種々変形することが可能である。
【００７９】
本発明は、スプール３をドラグ作動状態からフリー状態に切換可能とする切換部材を、スプールの釣糸巻回胴部の後方側で回転可能となる配設されていれば良く、スプールをドラグ作動状態／フリー状態に切換える切換機構２５の構成については適宜変形することが可能である。例えば、切換機構２５を構成する継脱機構４０については、上述した実施形態のようなストッパとラチェット以外にも、転がり式一方向クラッチを用いる等、種々変形することが可能である。また、切換部材２７や支持部材３０の構成についても、上述した実施形態の構造に限定されることはなく、種々変形することが可能である。
【００８０】
また、本実施形態では、切換部材２７は、周方向に所定の範囲、回動操作（回転操作に含まれる）するだけで、スプールをドラグ作動状態／フリー状態に切換可能となっていたが、その操作量については限定されることはない。例えば、３６０°以上に亘って回転操作することで切換えが成される構造であっても良い。
【００８１】
さらに、上記した実施形態では、糸落ち防止部材を利用して復帰機構を設けたが、そのような復帰機構を設置しない構成であっても良い。また、復帰機構は、糸落ち防止部材以外の部材を用いて構成されていても良い。
【図面の簡単な説明】
【００８２】
【図１】本発明に係る魚釣用スピニングリールの一実施の形態を示す図であり、内部構成を示す図。
【図２】図１の主要部を拡大した図。
【図３】図２のＡ−Ａ線に沿った断面図。
【図４】図２のＢ−Ｂ線に沿った断面図。
【図５】（ａ）は、図２のＣ−Ｃ線に沿った断面図、（ｂ）は、図（ａ）を矢印Ｄ方向から見た図。
【図６】図２のＥ−Ｅ線に沿った断面図。
【図７】（ａ）は、図６のＦ−Ｆ線に沿った断面図、（ｂ）は、変形例を示す図。
【図８】図２のＧ−Ｇ線に沿った断面図（ドラグ作動状態）。
【図９】図２のＧ−Ｇ線に沿った断面図（スプールフリー状態）。
【図１０】切換部材の操作部分の構成を示す図。
【図１１】スプールフリー状態時における継脱機構の状態を示す図。
【図１２】（ａ）は、サブドラグ機構の主要部の拡大図であり、スプールに対する抵抗力が大きい状態を示す図、（ｂ）は、スプールに対する抵抗力が小さい状態を示す図。
【図１３】スプールをスプール軸から取り外した状態を示す図。
【符号の説明】
【００８３】
１  リール本体
２  ロータ
３  スプール
３Ｃ  釣糸巻回胴部
３Ｄ  後フランジ
３ａ  スプール軸
２０  メインドラグ機構
２０Ａ  調節体
２１  筒軸
２５  切換機構
２７  切換部材
３０  支持部材
４０  継脱機構
５０  サブドラグ機構
５１  調節体
５３  可動押圧体
６０  復帰機構
６１  糸落ち防止部材
【図１】
2010075135.tif 000003
【図２】
2010075135.tif 000004
【図３】
2010075135.tif 000005
【図４】
2010075135.tif 000006
【図５】
2010075135.tif 000007
【図６】
2010075135.tif 000008
【図７】
2010075135.tif 000009
【図８】
2010075135.tif 000010
【図９】
2010075135.tif 000011
【図１０】
2010075135.tif 000012
【図１１】
2010075135.tif 000013
【図１２】
2010075135.tif 000014
【図１３】
2010075135.tif 000015